(57)【要約】【課題】様々な芯数の光コネクタを安価に提供すること。【解決手段】  複数の光ファイバコード５を固定部材４によりハウジング３に固定する。ハウジングは、光ファイバコードをそれぞれ挿通する複数の挿入穴に交差してのびた交差穴７を有している。固定部材は交差穴に挿入され、これにより光ファイバコードを一括してハウジングに固定する。【選択図】図４
2007334103.tif 000002
【特許請求の範囲】
【請求項１】
複数の光ファイバコードと、ハウジングと、前記光ファイバコードを前記ハウジングに固定するための固定部材とを含み、前記ハウジングは、前記光ファイバコードをそれぞれ挿通する複数の挿入穴と、前記挿入穴に交差してのびた交差穴とを有し、前記固定部材は前記交差穴に挿入され、これにより前記光ファイバコードを一括してハウジングに固定していることを特徴とする光コネクタ。
【請求項２】
前記交差穴は横断面略四角形状を有し、前記挿入穴は前記交差穴の一面を横切ってのびており、前記交差穴の反対面は前記一面に向けて突出した凸部を有する、請求項１に記載の光コネクタ。
【請求項３】
前記固定部材は断面Σ形状を有し、前記Σ形状における両端部は前記光ファイバコードの被覆部を突き刺し、前記Σ形状における中央部は前記光ファイバコードの被覆部を押圧している、請求項１又は２に記載の光コネクタ。
【発明の詳細な説明】
【技術分野】
【０００１】
本発明は、光ファイバコードを有する光コネクタに関する。
【背景技術】
【０００２】
例えば実公平６−２４８０２号公報には、一つのクランパを用いて一本の光ファイバコードをハウジングに固定してなる光コネクタが開示されている。その光コネクタでは、仮に複数の光ファイバコードを用いる場合には複数のクランパを必要とする。そのため、光ファイバコードの数が増えた場合に、クランパの数を増やす必要がある。したがって、クランパの費用とそれの取り付け費が増大し、コストが上昇する。同種の技術は、実公平８−２６４３号公報にも開示されているが、同様な欠点をもつ。
【０００３】
また、特開平６−１２３８２３号公報には、一つのファイバグリップを用いてニ本の光ファイバをハウジングに固定してなる光伝送装置が開示されている。しかし、光ファイバコードの数が増えた場合には、ファイバグリップを別構造のものや大型のものに変更せざるを得ない。したがって、芯数の異なる光コネクタを安価に提供することができない。
【発明の開示】
【発明が解決しようとする課題】
【０００４】
それ故に本発明の課題は、様々な芯数をもつ安価な光コネクタを提供することにある。
【０００５】
本発明の他の課題は、１つの固定具で１芯から多芯数まで一括して固定された安価な光コネクタを提供することにある。
【０００６】
本発明のさらに他の課題は、たとえ芯数が増えても、固定に関する作業は、同一工程で行える光コネクタを提供することにある。
【０００７】
本発明のさらに他の課題は、高密度に光ファイバを配置でき、小型化が可能な光コネクタを提供することにある。
【課題を解決するための手段】
【０００８】
本発明の実施の態様によれば、複数の光ファイバコードと、ハウジングと、前記光ファイバコードを前記ハウジングに固定するための固定部材とを含み、前記ハウジングは、前記光ファイバコードをそれぞれ挿通する複数の挿入穴と、前記挿入穴に交差してのびた交差穴とを有し、前記固定部材は前記交差穴に挿入され、これにより前記光ファイバコードを一括してハウジングに固定していることを特徴とする光コネクタが得られる。
【０００９】
前記交差穴は断面略四角形状を有し、前記挿入穴は前記交差穴の一面を横切ってのびており、前記交差穴の反対面は前記一面に向けて突出した凸部を有してもよい。
【００１０】
前記固定部材は断面Σ形状を有し、前記Σ形状における両端部は前記光ファイバコードの被覆部を突き刺し、前記Σ形状における中央部は前記光ファイバコードの被覆部を押圧していてもよい。
【発明の効果】
【００１１】
本発明によれば、様々な芯数をもつ安価な光コネクタを提供することができる。この光コネクタによると、１つの固定具で１芯から多芯数まで一括して固定される。したがって、たとえ芯数が増えても、固定に関する作業は、同一工程で行うことができる。また光コネクタを小型化することが可能である。
【発明を実施するための最良の形態】
【００１２】
図１−図３を参照して、本発明の実施の形態に係る光コネクタの全体について説明する。
【００１３】
図示の光コネクタは参照符号１で表され、複数本、具体的には２本の平板状光ケーブル２と、プラスチックなどで作られたコネクタ本体即ちハウジング３と、光ケーブル２をハウジング３に固定するための二つの固定部材４とを含んでいる。各光ケーブル２は、４本の光ファイバコード５が平面上に並んだ４芯構成のものである。ここでは光ケーブル２を２段にして使用している。したがって、光ファイバコード５は合計８本使用されている。
【００１４】
図４及び図５をも参照して、光コネクタ１の細部について説明する。
【００１５】
ハウジング３は、光ファイバコード５をそれぞれ挿通する複数、即ち、８本の挿入穴６を有している。挿入穴６は、第１の方向Ａ１（左右方向）に４本ずつ並べて上下２段に形成されている。挿入穴６の各々は、第１の方向Ａ１に直交した第２の方向（前後方向）Ａ２にのびている。光ケーブル２は挿入穴６に光ファイバコード５が後方から一対一で対応して挿入されている。
【００１６】
ハウジング３はさらに、第１の方向Ａ１において、挿入穴６に交差してのびた２本の交差穴７を有している。これらの交差穴７に固定部材４がそれぞれ挿入され、後文にて明らかになる機構により光ファイバコード５を一括してハウジング３に固定している。こうして光コネクタ１を８芯コネクタとして構成している。
【００１７】
各光ファイバコード５は、光を導くための光ファイバ８を有している。光ファイバ８はその周囲をシース又は被覆部９で覆われている。
【００１８】
交差穴７は、挿入穴６の段にそれぞれ対応して上下２段に形成されている。しかも、上下方向のピッチを極力狭く高密度に配置するために、二つの交差穴７は第２の方向Ａ２で互いに位置ずれをもって形成されている。
【００１９】
図３に最もよく示されるように、各交差穴７は、横断面略四角形状を有し、第１の方向Ａ１における少なくとも一端が、ハウジング３の側面に対し段差１１を有する基準面１２に開口している。挿入穴６は図５に示すように交差穴７の一面近傍部分を横切ってのびている。即ち、挿入穴６と交差穴７はそれらの交差部で互いに連通している。交差穴７の反対面には一面に向けて突出した凸部１３が形成されている。
【００２０】
図６及び図７に示すように、固定部材４は横断面Σ形状（又は横断面Ｍ字形状）に連続成形された部材であり、Σ形状における両端部１４と、Σ形状における中央部１５とを有している。固定部材４は、図３に最もよく示されているように、交差穴７に挿入される。このとき、固定部材４を基準面１２と一致するまで押し込めば、固定部材４を常に同じ位置に停止させることができる。
【００２１】
図４及び図５においては、上段の交差穴７にのみ固定部材４が挿入され、下段の交差穴７には固定部材４が挿入されていない。固定部材４を交差穴７に挿入すると、固定部材４は光ファイバコード５の被覆部９を切り裂き、光ファイバコード５に溝を形成する。こうして、固定部材４により、光ファイバコード５は一括してハウジング３に第２の方向Ａ２で固定される。この固定状態においては、固定部材４の両端部１４が光ファイバコード５の被覆部９を突き刺している。また、固定部材４の中央部１５は、光ファイバコード５の被覆部９を押圧しているので、光ファイバコード５を抑える、即ち、挿入穴６内に光ファイバコード５をガタツクことなく保持する機能を期待できる。なお、ファイバコード５のうち、ハウジング３の前端面３ａから飛び出た部分は、研磨などにより平面に処理されている。
【００２２】
図６及び図７において、固定部材４は、交差穴７に挿入した際に光ファイバコード５に最初に当たる部分に、被覆部９に食い込みやすくする為の面取り１６を施している。また、固定部材４を左右対称な形状として、長手方向のどちらの端部から挿入してもよいように構成している。
【００２３】
上述した光コネクタ１においては、光ファイバコード５を１本から４本まで、一つの固定部材４を用いて、１アクションで固定することができる。上述では光ファイバコード５が一つの段に４本ある場合を説明したが、５本以上の場合であっても、固定部材４の長さを変更するのみでよい。また、光ファイバコード５を４本固定するための固定部材４を連続して交差穴７に押し込み、光ファイバコード５が一つの段に５本以上の場合に対処することも可能である。なお、各交差穴７の第２の方向Ａ２における一端のみを開口させ、他端を閉じることで、誤挿入防止の機能をもたせることもできる。
【００２４】
本実施例では、平板状で各光ファイバコードが固着された光ケーブルを用いた場合で説明したが、１本ずつバラバラの光ファイバコードを用いてもよい。又、挿入穴は並設方向で各々が独立した穴でも、隣接する部分が重なるような穴でもよい。
【図面の簡単な説明】
【００２５】
【図１】本発明の実施の形態に係る光コネクタの斜視図である。
【図２】図１の光コネクタの正面図である。
【図３】図１の光コネクタの要部の拡大斜視図である。
【図４】図１の光コネクタから固定具を取り出した状態を示す分解斜視図である。
【図５】図４の縦断面拡大図である。
【図６】図４に示した固定具の一方向から見た斜視図である。
【図７】図４に示した固定具の他方向から見た斜視図である。
【符号の説明】
【００２６】
１    光コネクタ
２    光ケーブル
３    ハウジング
３ａ    ハウジングの前端面
４    固定部材
５    光ファイバコード
６    挿入穴
７    交差穴
８    光ファイバ
９    シース又は被覆部
１１    段差
１２    基準面
１３    凸部
１４    Σ形状における両端部
１５    Σ形状における中央部
１６    面取り
【図１】
2007334103.tif 000003
【図２】
2007334103.tif 000004
【図３】
2007334103.tif 000005
【図４】
2007334103.tif 000006
【図５】
2007334103.tif 000007
【図６】
2007334103.tif 000008
【図７】
2007334103.tif 000009